(57)【要約】      （修正有）【課題】ありとあらゆる頭髪に対応可能であり、しかも、頭部の状況及び所望の頭髪の形状等が変化した場合であっても、繰り返して何回も使用可能な頭髪整形補助具を提供する。【解決手段】頭髪を絡み留めることが可能な頭髪整形補助具であって、基糸３ａ及び基糸３ａの側部に設けられた複数のフック部３ｂからなる単数又は複数の糸状体３によって構成され、フック部３ｂを利用して糸状体３を絡合させて塊状とし、フック部３ｂに頭髪を絡み留める。【選択図】図２
0003200992.tif 000002
【実用新案登録請求の範囲】
【請求項１】
頭髪を絡み留めることが可能な頭髪整形補助具であって、
当該頭髪整形補助具は、基糸及び当該基糸の側部に設けられた複数のフック部からなる単数又は複数の糸状体によって構成され、
当該糸状体を絡合させて塊状とし、前記フック部に頭髪を絡み留めることを特徴とする頭髪整形補助具。
【請求項２】
前記フック部は、弾性を有することを特徴とする請求項１に記載の頭髪整形補助具。
【請求項３】
前記糸状体の量を調節することにより、所望の大きさにすることが可能なことを特徴とする請求項１又は請求項２に記載の頭髪整形補助具。
【請求項４】
前記糸状体の絡合は、前記フック部同士及び／又は当該フック部と前記基糸の絡合によることを特徴とする請求項１乃至請求項３のうち、いずれか１に記載の頭髪整形補助具。
【請求項５】
前記基糸は、繊維、糸、紐、テープ又はこれらの組み合わせからなることを特徴とする請求項１乃至請求項４のうち、いずれか１に記載の頭髪整形補助具。
【請求項６】
前記フック部は、所定のピッチで設けられることを特徴とする請求項１乃至請求項５のうち、いずれか１に記載の頭髪整形補助具。
【考案の詳細な説明】
【技術分野】
【０００１】
本考案は、前髪や後頭部の髪などの頭髪の生え際、つむじ、うねり及び癖毛、さらに、頭髪のスタイル保持や、ボリュームアップ等に使用する頭髪整形補助具に関する。
【背景技術】
【０００２】
頭髪整形補助具として、例えば、特許文献１及び特許文献２に記載されたものが存在する。
【０００３】
特許文献１においては、面ファスナーのフック部の原理を活用し、かもじ本体を二枚合わせの面ファスナーのフック面シートにより構成し、かもじ本体の周囲に山形カットを配し、フック面シートの片方に弛みをもたせて膨らみを形成することで地肌を隠しボリュームを出すことを特徴とする板状かもじが提案されている。
【０００４】
これにより特許文献１に係る考案は、面状テープ（面ファスナー）のフック部の構造の原理を造形物としたことにより、隠したい地肌部分にかもじを置き自毛で被い上辺の毛を整え軽くスプレーをすれば一日中整髪は保持できる。
【０００５】
また、かもじ本体の周囲に山形カットを設けることで山形カットの先端が髪の間に入りかもじと髪の隔たりを軽減し地肌をカバーする。また本体に弛みをもたせ膨らみを形成することで髪を持ち上げ量感が出している。
【０００６】
特許文献２においては、頭髪整形補助具として、頭皮に面する下面と当該下面の反対面である上面とを有する板状基材と、当該板状基材下面に設けられた頭髪絡み留めのための下側弾性フック群と、当該板状基材上面に設けられた頭髪絡み留めのための上側弾性フック群とを備えている。
【０００７】
この頭髪整形補助具によれば、ありとあらゆる頭髪に対応可能であり、しかも、繰り返して何回も使用可能である。したがって、つむじ、うねり癖毛等を効果的に整形できるし、繰り返して使用可能なので大変経済的である。
【先行技術文献】
【特許文献】
【０００８】
【特許文献１】実用新案登録第３１６３３９２号公報（図１〜図４参照）
【特許文献２】実用新案登録第３１６９３４４号公報（図１〜図３参照）
【考案の概要】
【考案が解決しようとする課題】
【０００９】
しかしながら、従来の板状かもじ及び頭髪整形補助具（以下、両者を合わせて「補助具」という。）については、何度も繰り返し使用可能であるものの、それはあくまでそれら補助具を用いる頭部における部分が同じである場合に繰り返し使用できるのみであって、補助具を設置する頭部の位置・大きさ・頭髪の生え方等の状況が変わった場合においては、新たな補助具を用意する必要があり、新たな補助具を用意する労力及び経済性の面からも改善が望まれていた。
【００１０】
また、整形したい頭髪のボリュームや、所望の頭髪の形状によっても、やはり新たな形状及び大きさの補助具を用意する必要があり、新たな補助具を用意する労力及び経済性の面からも改善が望まれていた。
【００１１】
また、従来の補助具は、その本体が板状に構成されているため、頭髪を整形した後に、風が吹いた場合や、長時間経過することにより、頭髪の整形状態に変化があった場合、外部から、板状の本体が看取されてしまう可能性があり、看取する者に違和感を与える可能性があった。
【００１２】
さらに、従来の補助具は、例えば、矩形状等の板状の本体を用いることから、補助具の取り付けの方向性を考慮する必要があり、後頭部に補助具を装着するような場合においては、使用者にとっては、目が届かないことから、その装着状態を確認することが困難であった。
【００１３】
そこで、本考案は、このような不都合を解消し、ありとあらゆる頭髪に対応可能であり、しかも、頭部の状況及び所望の頭髪の形状等が変化した場合であっても、繰り返して何回も使用可能な頭髪整形補助具を提供することを目的とする。
【課題を解決するための手段】
【００１４】
上記目的を達成するために本考案者は、試行錯誤を繰り返し、次の構成を採用するに至った。構成の詳しい内容については項を改めて説明する。尚、いずれかの請求項の考案を説明するために行う用語の定義等は、その記載順に関わらず、その性質上可能な範囲において他の請求項に係る考案にも適用があるものとする。
【００１５】
上記目的達成のため、本考案の頭髪整形補助具は、頭髪を絡み留めることが可能な頭髪整形補助具であって、当該頭髪整形補助具は、基糸及び当該基糸の側部に設けられた複数のフック部からなる単数又は複数の糸状体によって構成され、当該糸状体を絡合させて塊状とし、前記フック部に頭髪を絡み留めることを特徴とする。
【００１６】
また、本考案の頭髪整形補助具における前記フック部は、弾性を有することを特徴とする。
【００１７】
また、本考案の頭髪整形補助具は、前記糸状体の量を調節することにより、所望の大きさにすることが可能なことを特徴とする。
【００１８】
また、本考案の頭髪整形補助具における前記糸状体の絡合は、前記フック部同士及び／又は当該フック部と前記基糸の絡合によることを特徴とする。
【００１９】
また、本考案の頭髪整形補助具における前記基糸は、繊維、糸、紐、テープ又はこれらの組み合わせからなることを特徴とする。
【００２０】
また、本考案の頭髪整形補助具における前記フック部は、所定のピッチで設けられることを特徴とする。
【考案の効果】
【００２１】
本考案の頭髪整形補助具は、糸状体を絡合させて塊状とし、フック部に頭髪を絡み留めることにより、ありとあらゆる頭髪に対応可能であり、しかも、繰り返して何回も使用可能である。したがって、つむじ、うねり癖毛等を効果的に整形できるし、繰り返して使用可能なので非常に経済的である。
【００２２】
特に、本考案の頭髪整形補助具は、糸状体を鳥の巣のような塊状として使用することから、自在に所望の大きさ・形状とすることが可能であり、どのような状況でも容易かつ繰り返し使用可能である。
【００２３】
即ち、本考案の頭髪整形時補助具は、適宜、糸状体の塊を、ちぎったり、又は、糸状体の量を増量して組み合わせて、所望の形状に整形することにより、頭部の状態がどのような場合であっても、また、所望の頭髪の形状がどのようなものであっても、自在に何度も、繰り返し使用することが可能であって、非常に経済性に優れているばかりか、繰り返しの使用も、適宜、糸状体の塊を、ちぎったり、糸状体の量を増量して組み合わせて整形することにより可能であることから労力もかからず非常に容易である。
【００２４】
この場合、頭部の形状は、個人差があり、かつ、頭部における各々の箇所で頭皮（頭部表面）の形状及び曲率は異なっているものの、本考案の頭髪整形時補助具によれば、頭部の状態がどのような場合であっても、また、所望の頭髪の形状がどのようなものであっても、適宜、糸状体の塊を、ちぎったり、又は、糸状体の量を増量して組み合わせて糸状態の塊を整形することにより、同じ頭髪整形補助具を用いて自在に何度も繰り返し整髪可能である。そのため、頭部の部位（形状）及び所望の頭髪形状が同じ場合にしか、繰り返しの使用が困難な従来技術に比して、本考案の頭髪整形補助具は、異なる条件下においても容易に何度でも使用できるばかりか、非常に経済的である。
【００２５】
また、従来の補助具は、その本体が板状に構成されているため、頭髪を整形した後に、風が吹いた場合等に、外部から、板状の本体が看取されてしまう可能性があり、看取する者に違和感を与える可能性があったが、本考案の頭髪整形補助具は、頭髪のような糸状体によって構成されているため、仮に、外部から看取されてしまった場合も、頭髪と見分けがつきにくく、看取する者に違和感を与えることを防止することができる。
【００２６】
さらに、従来の補助具は、例えば、矩形状等の板状の本体を用いることから、補助具の取り付けの方向性を考慮する必要があり、後頭部に補助具を装着するような場合においては、使用者にとって、その装着状態を確認することが困難であったが、本考案の頭髪整形補助具においては、頭部に装着した状態においても、自在にその形状を所望のものに変更可能であり、かつ、方向性が問題となるものではないことから、その装着が目の届かない後頭部等においても非常に容易である。
【図面の簡単な説明】
【００２７】
【図１】本実施形態に係る頭髪整形補助具の斜視図である。
【図２】図１に示す頭髪整形補助具の部分拡大図である。
【図３】図１に示す頭髪整形補助具を構成する糸状体の説明図であって、（ａ）は正面図、（ｂ）は側面図、（ｃ）は斜視図である。
【図４】図３の糸状体の第１の変形例であって、（ａ）は正面図、（ｂ）は側面図、（ｃ）は斜視図である。
【図５】図３の糸状体の第２の変形例であって、（ａ）は正面図、（ｂ）は側面図、（ｃ）は斜視図である。
【図６】図４及び図５の糸状体の他の変形例であって、（ａ）は図４の糸状体のさらなる変形例の側面図、（ｂ）は図５の糸状体のさらなる変形例の側面図である。
【図７】頭髪整形補助具の第１の使用方法を示す正面図である。
【図８】頭髪整形補助具の第２の使用方法を示す正面図である。
【図９】頭髪整形補助具の第３の使用方法を示す正面図である。
【図１０】頭髪整形補助具の第４の使用方法を示す正面図である。
【考案を実施するための形態】
【００２８】
以下、図面を参照して、本考案による頭髪整形補助具を実施するための形態について説明する。まず、頭髪整形補助具の構成について説明し、その後、頭髪整形補助具の具体的な使用方法を説明する。
【００２９】
［頭髪整形補助具の構成］
本考案の実施形態に係る頭髪整形補助具の構成について、図１乃至図３を用いて説明する。図１は、本実施形態に係る頭髪整形補助具の斜視図である。図２は、図１に示す頭髪整形補助具の部分拡大図である。図３は、図１に示す頭髪整形補助具を構成する糸状体の説明図であって、（ａ）は正面図、（ｂ）は側面図、（ｃ）は斜視図である。
【００３０】
［頭髪整形補助具の構成概略］
図１及び図２に示すように、頭髪整形補助具１は、概略として、髪の毛（繊維）のような糸状体３を絡合することにより、鳥の巣のような糸状体の集合体（塊）により構成される。
【００３１】
［糸状体の構成］
頭髪整形補助具１を構成する糸状体３は、図２及び図３に示すように、糸のような繊維状に構成され、核となる基糸３ａと基糸の側部に設けられた複数のフック部３ｂとから構成されている。
【００３２】
［基糸の構成］
基糸３ａは、毛髪に馴染ませ、目立たなくするべく、毛髪と同様の太さとすることが好適であるが、繊維、糸、紐、テープ又はこれらの組み合わせによっても構成することが可能であり、糸・紐・テープ状でフック部３ｂを側部に配することが可能な構成であればよく、ポリエステル等の樹脂によって構成可能である。
【００３３】
［フック部の構成］
また、フック部３ｂは、糸状体３を鳥の巣のように塊状とするべく、フック部３ｂ同士や、フック部３ｂが基糸３ａに絡まることによって、その塊となった形状を維持するものである。
【００３４】
そのため、フック部３ｂは、図３に示すように、鉤型（「Ｊ」字型）に構成されて、鉤部分が、他のフック部３ｂや、基糸３ａに絡合して、鳥の巣のような塊の形状を維持するものである。
【００３５】
さらに、糸状体３の塊の状態となった頭髪整形補助具１は、同様に、フック部３ｂが頭髪に絡み付くことにより、頭部において、頭髪を絡み留まらせることを可能とするものである。
【００３６】
フック部３ｂは、図３（ｂ）の側面図からも明らかなように、基糸３ａから、一方向（図３（ｂ）の紙面上、上方向）にのみ設けられるものではなく、他方向（同（ｂ）の紙面上、下方向）にも配されるとともに、（ａ）の正面図から明らかなように、所定のピッチで連続して複数配されている。これによって、フック部３ｂが、フック部３ｂ同士や、基糸３ａ及び頭髪に絡みやすくするものである。
【００３７】
また、フック部３ｂを弾性力を備えて構成した場合は、フック部３ｂ同士や、基糸３ａ及び頭髪への絡合をより容易かつ強力なものにすることが可能である。尚、フック部３ｂについても、基糸３ａと同様に、ポリエステル等の樹脂によって構成可能である。
【００３８】
［フック部の他の構成］
フック部３ｂは、糸状体３を鳥の巣のように塊状とするべく、フック部３ｂ同士や、フック部３ｂが基糸３ａに絡まることによって、その塊となった形状を維持し、さらには、頭髪を絡み留まらせるものであるから、そのフック機能を発揮可能であれば、その形態は、図３に示すものに限られるものではなく、他の変形例を図４乃至図６を用いて説明する。
【００３９】
ここで、図４は、図３の糸状体の第１の変形例であって、（ａ）は正面図、（ｂ）は側面図、（ｃ）は斜視図である。図５は、図３の糸状体の第２の変形例であって、（ａ）は正面図、（ｂ）は側面図、（ｃ）は斜視図である。図６は、図４及び図５の糸状体の他の変形例であって、（ａ）は図４の糸状体のさらなる変形例の側面図、（ｂ）は図５の糸状体のさらなる変形例の側面図である。
【００４０】
図４においては、（ａ）乃至（ｃ）に示すように、図３における鉤状フック部３ｂが、側面図（ｂ）からも明らかなように、紙面上、上下に設けられたフック部５ｂが互いに反対方向を向くことにより、側面視、基糸５ａに対して点対称の関係でフック部５ｂが配されている。
【００４１】
また、図５においては、（ａ）乃至（ｃ）に示すように、図３における鉤状フック部３ｂが、側面図（ｂ）からも明らかなように、一対の鉗体７ｂ１及び鉗体７ｂ２により、一つのフック部７ｂが構成されており、鉗体７ｂ１と鉗体７ｂ２により、他のフック部７ｂ、基糸７ａ及び頭髪を鉗体７ｂ１と鉗体７ｂ２の間に挟みこむ（保持する）ものである。
【００４２】
また、図６においては、（ａ）の側面図のように、図４（ｂ）の側面図において上下方向に設けられたフック部５ｂを、基糸１５ａを中心として上下左右に設けることにより、基糸１５ａに対するフック部１５ｂの数を増やすとともに、種々の方向にフック部１５ｂを向けることにより、よりフック部１５ｂ同士や、頭髪との絡合を強力なものにすることが可能である。
【００４３】
同様に、図６（ｂ）においても、図５（ｂ）の側面図において上下方向に設けられたフック部７ｂを、基糸１７ａを中心として３方に設けることにより、基糸１７ａに対するフック部１７ｂの数を増やすとともに、種々の方向にフック部１７ｂを向けることにより、よりフック部１７ｂ同士や、頭髪との絡合を強力なものにすることが可能である。
【００４４】
［頭髪整形補助具の形状変更］
糸状体３は、単数本用意する場合でも、複数本用意する場合でも、本考案の頭髪整形補助具１を構成可能である。即ち、糸状体３は、非常に長尺の１本をくしゃくしゃに絡ませ合うことにより、鳥の巣のような塊状とすることも可能であるし、複数本の糸状体３をくしゃくしゃに絡ませ合うことにより、同様に塊状とすることも可能である。
【００４５】
そのため、本考案の頭髪整形補助具１は、ちぎったり、又は、糸状体の量を増量して組み合わせて、塊状の糸状体を整形することにより、所望の大きさ・形状とすることが可能である。
【００４６】
［頭髪整形補助具の第１の使用方法］
図１、図２及び図７を用いて、頭髪整形補助具１の第１の使用方法について説明する。図７は、頭髪整形補助具の第１の使用方法を示す正面図である。
【００４７】
図７（ａ）に示すのは、前髪（頭髪）の生え際近くにつむじがあるため、前髪が左右に割れてしまう状態を示している。このような前髪の割れは、櫛でとかしたぐらいでは歯が立たず、ドライヤーを使ったり、パーマをかけたりしても、時間が経つとまた元のように頭髪が左右に割れてしまう。
【００４８】
そこで、まず、頭髪整形補助具１を整髪したい部位に合わせて適当な大きさに成形する。即ち、糸状体３を、ちぎったり、又は、糸状体の量を増量して組み合わせることにより、適宜、塊状の糸状体３の量及び形を調整する。
【００４９】
次に、櫛などを使って前髪を上下に分けで上前髪と下前髪にする。そして上前髪と下前髪との間に適当な大きさ・形に調整した頭髪整形補助具１を挿入する。
【００５０】
具体的には、頭髪整形補助具１を下前髪の上に載置し、そのままの状態で軽く押しつけながら僅かに（５．０〜１０．０mm程度）下方にずらす。このずらしによって、下前髪の方向が下方に矯正される。つまり、下方へのずらしにより下前髪が、頭髪整形補助具１の表面の下前髪側のフック部３ｂに絡合しつつ、しごかれ、これによって下方に伸びる。
【００５１】
換言すれば、例えば、４時方向を向いていた前髪や７時方向を向いていた前髪が、フック部３ｂの働きによって６時方向に並ばせられる（図７（ｂ））。このとき頭髪整形補助具１は、下前髪に絡まったフック部３ｂの働きにより前髪に絡み留まって固定される。固定されるから、下方に伸びた下前髪が伸びたままの状態になる。
【００５２】
次に、上前髪を頭髪整形補助具１を覆うように下方に垂らし櫛などを使ってとかす。上前髪は頭髪整形補助具１の表面の上前髪側のフック部３ｂに絡み留められるとともに、下前髪と一体化する（図７（ｃ））。
【００５３】
垂らした上前髪は頭髪整形補助具１の表面に現れるフック部３ｂに絡み留められているので風が吹いても容易に舞い上がることがなく、また、頭髪整形補助具１自体を覆い隠すので外から見て違和感を生じさせない。また、仮に頭髪整形補助具１が看取された場合であっても、頭髪整形補助具１自身が、髪の毛のように構成されているから、全く違和感を感じさせるものではない。
【００５４】
また、頭髪整形補助具１は、何度でも繰り返し使用することができるし、後述する使用方法からも明らかなように、ありとあらゆる頭髪に使用可能である。特に、頭髪整形時補助具１は、糸状体を鳥の巣のような塊状として使用することから、自在に所望の大きさ・形状とすることが可能であり、どのような状況でも容易かつ繰り返し使用可能である。
【００５５】
即ち、頭髪整形時補助具１は、適宜、糸状体３の塊を、ちぎったり、又は、糸状体の量を増量して組み合わせて整形することにより、頭部の状態がどのような場合であっても、また、所望の頭髪の形状がどのようなものであっても、自在に何度も、繰り返し使用することが可能であって、非常に経済性に優れているばかりか、繰り返しの使用も、適宜、糸状体３の塊を、ちぎったり、糸状体の量を増量して組み合わせて整形することにより可能であることから、労力もかからず非常に容易である。
【００５６】
［頭髪整形補助具の第２及び第３の使用方法］
上述した使用方法は、前髪だけに限られない。図８及び図９を用いて、頭髪整形補助具の第２及び第３の使用方法を説明する。図８は、頭髪整形補助具の第２の使用方法を示す正面図である。図９は、頭髪整形補助具の第３の使用方法を示す正面図である。
【００５７】
図８（ａ）に示すような後頭部の割れや、図９（ａ）に示すような透け地肌、その他の部位にも適用することができる。頭髪を２方向に分けてその一方の上に頭髪整形補助具１を絡み留めてから、他方の頭髪をその上に載せて絡み留める。その結果、図８（ｂ）及び図９（ｂ）に示すように、他人に違和感を抱かせずに頭髪を整形することが可能である。即ち、自毛によって頭髪の気になる箇所を整形できるので、他人に違和感を抱かせない大変便利な頭髪整形補助具である。前髪と後頭部頭髪のように、一度に複数個の頭髪整形補助具１を使用することもできる。
【００５８】
［頭髪整形補助具の第４の使用方法］
図１０を用いて、頭髪整形補助具の第４の使用方法を説明する。図１０は、頭髪整形補助具の第４の使用方法を示す正面図である。
【００５９】
図１０は、頭髪整形補助具１を前髪のボリュームアップに用いた状態であり、図１０（ａ）に示すように、ボリュームアップしたい前髪の上に頭髪整形補助具１を載せてから前髪を折り返して頭髪整形補助具１の上に載せる。これによって、図１０（ｂ）に示すように、前髪のボリュームアップができる。特に、糸状体３の塊を、ちぎったり、又は、糸状体の量を増量して組み合わせて整形することにより、適宜、所望のボリュームに容易に調整可能である。
【００６０】
また、ある箇所では頭髪の方向矯正を、また、他の箇所では頭髪のボリュームアップを図る、というような使い方も頭髪整形のバリエーションを豊富にする上で有効である。
【００６１】
この考案は、その本質的特性から逸脱することなく数多くの形式のものとして具体化することができる。よって、上述した実施形態は専ら説明上のものであり、本考案を制限するものではないことは言うまでもない。
【符号の説明】
【００６２】
１                                  頭髪整形補助具
３，５，７                          糸状体
３ａ，５ａ，７ａ，１５ａ，１７ａ    基糸
３ｂ，５ｂ，７ｂ，１５ｂ，１７ｂ    フック部
７ａ１，７ｂ２                      鉗体部
【図１】
0003200992.tif 000003
【図２】
0003200992.tif 000004
【図３】
0003200992.tif 000005
【図４】
0003200992.tif 000006
【図５】
0003200992.tif 000007
【図６】
0003200992.tif 000008
【図７】
0003200992.tif 000009
【図８】
0003200992.tif 000010
【図９】
0003200992.tif 000011
【図１０】
0003200992.tif 000012